(57)【要約】【課題】高透過領域と周辺領域のギャップムラを低減する。【解決手段】表示領域内に高透過領域と周辺領域を有する液晶表示装置であり、高透過領域で周辺領域よりカラーフィルター薄膜化し、高透過領域に基板間ギャップを補正する部材を配置する。【選択図】            図６
2005031420.tif 000002
【特許請求の範囲】
【請求項１】
一対の基板により形成されたギャップを有し、該一対の基板は周辺領域と高透過領域を備え、該高透過領域にはギャップ補正部材を備えることを特徴とする表示装置。
【請求項２】
カラーフィルターを備えた一方の基板と、ＴＦＴ素子を備えた他方の基板を有し、前記カラーフィルターの厚みが薄い高透過領域と、該高透過領域を囲みカラーフィルターの厚みが厚い周辺領域を有し、該高透過領域にはギャップ補正部材を備えることを特徴とする表示装置。
【請求項３】
前記ギャップ補正部材がカラーフィルターであることを特徴とする請求項１あるいは請求項２に記載の表示装置。
【請求項４】
前記カラーフィルターが青色であることを特徴とする請求項３記載の表示装置。
【請求項５】
前記ギャップ補正部材が配向膜であり、該配向膜が前記高透過領域で前記周辺領域より厚く形成されていることを特徴とする請求項１あるいは請求項２に記載の表示装置。
【請求項６】
前記ギャップ補正部材が前記一対の基板の一方に形成され、他方の基板にスペーサが形成されていることを特徴とする請求項５記載の表示装置。
【請求項７】
前記ギャップ補正部材が前記カラーフィルタ―上に形成されたオーバーコート膜であり、該オーバーコート膜が前記高透過領域で前記周辺領域より厚く形成されていることを特徴とする請求項１あるいは請求項２に記載の表示装置。
【請求項８】
共通電極を有し、該共通電極が前記オーバーコート膜上に形成されていることを特徴とする請求項７記載の表示装置。
【請求項９】
前記一方の基板上に形成された共通電極を有し、該共通電極上には配向膜が形成され、前記他方の基板上には画素電極が形成され、該画素電極上には配向膜が形成され、
前記他方の基板上で前記高透過領域での画素電極は前記周辺領域での画素電極より高い位置に形成されていることを特徴とする請求項２に記載の表示装置。
【請求項１０】
前記高さの調整が、前記高透過領域で前記画素電極の下に形成された前記ギャップ補正部材によることを特徴とする請求項８に記載の表示装置。
【請求項１１】
前記ギャップ補正部材が保護膜であることを特徴とする請求項１０に記載の表示装置。
【発明の詳細な説明】
【０００１】
【発明の属する技術分野】
本発明は表示装置に関し、特にスロットマシーン型遊技機に好適な表示装置に関する。
【０００２】
【従来の技術】
スロットマシーン型遊技機は、その遊技者に対向する面の中央に、水平方向に回転軸が一致づけられた３個の回転ドラムを有し、始動ボタンを押すことによりそれらが回転し、その後、各回転ドラムに対応する停止ボタンを押すことにより順次停止させるように構成されている。
【０００３】
そして、各回転ドラムの側面に描かれた記号、図柄等がたとえば一致して停止した場合に当りとなり、多数のコインを獲得できるようになっている。そして、近年、回転ドラムの上方にたとえば液晶表示装置等の表示装置を配置させ、これに静止画像あるいは動画像を映像させることによって、遊技者の興趣をもたらすように構成されたものが知られている（特許文献１参照）。
【特許文献１】
特開２０００−３５０８０５号公報
【０００４】
【発明が解決しようとする課題】
しかし、このように構成されたスロットマシーン型遊技機は、回転ドラムに対して表示装置が比較的遠い位置に配置されているため、回転ドラムを注視してゲームを行なう場合に、  該表示装置の表示に意識がいかなくなるため、それらを遊技者に一体感をもたせることが困難であるといった不都合を有している。
【０００５】
また、表示装置を透過してみる回転ドラムが暗いものとなるという課題がある。
【０００６】
本発明は、このような事情に基づいてなされたもので、その目的は、遊技機に好適な表示装置を提供することにある。
【０００７】
【課題を解決するための手段】
本願において開示される発明のうち、代表的なものの概要を簡単に説明すれば、以下のとおりである。
【０００８】
手段１．
本発明による表示装置は、例えば一対の基板により形成されたギャップを有し、該一対の基板は周辺領域と高透過領域を備え、該高透過領域にはギャップ補正部材を備えることを特徴とするものである。
【０００９】
手段２．
本発明による表示装置は、例えば、カラーフィルターを備えた一方の基板と、ＴＦＴ素子を備えた他方の基板を有し、前記カラーフィルターの厚みが薄い高透過領域と、該高透過領域を囲みカラーフィルターの厚みが厚い周辺領域を有し、該高透過領域にはギャップ補正部材を備えることを特徴とするものである。
【００１０】
手段３．
本発明による表示装置は、例えば手段１あるいは手段２を前提として、前記ギャップ補正部材がカラーフィルターであることを特徴とするものである。
【００１１】
手段４．
本発明による表示装置は、例えば手段３を前提として、前記カラーフィルターが青色であることを特徴とするものである。
【００１２】
手段５．
本発明による表示装置は、例えば手段１あるいは手段２を前提として、前記ギャップ補正部材が配向膜であり、該配向膜が前記高透過領域で前記周辺領域より厚く形成されていることを特徴とするものである。
【００１３】
手段６．
本発明による表示装置は、例えば手段５を前提として、前記ギャップ補正部材が前記一対の基板の一方に形成され、他方の基板にスペーサが形成されていることを特徴とするものである。
【００１４】
手段７．
本発明による表示装置は、例えば手段１あるいは手段２を前提として、前記ギャップ補正部材が前記カラーフィルタ―上に形成されたオーバーコート膜であり、該オーバーコート膜が前記高透過領域で前記周辺領域より厚く形成されていることを特徴とするものである。
【００１５】
手段８．
本発明による表示装置は、例えば手段７を前提として、共通電極を有し、該共通電極が前記オーバーコート膜上に形成されていることを特徴とするものである。
【００１６】
手段９．
本発明による表示装置は、例えば手段２を前提として、前記一方の基板上に形成された共通電極を有し、該共通電極上には配向膜が形成され、前記他方の基板上には画素電極が形成され、該画素電極上には配向膜が形成され、前記他方の基板上で前記高透過領域での画素電極は前記周辺領域での画素電極より高い位置に形成されていることを特徴とするものである。
【００１７】
手段１０．
本発明による表示装置は、例えば手段９を前提として、前記高さの調整が、前記高透過領域で前記画素電極の下に形成された前記ギャップ補正部材によることを特徴とするものである。
【００１８】
手段１１．
本発明による表示装置は、例えば手段１０を前提として、前記ギャップ補正部材が保護膜であることを特徴とするものである。
【００１９】
なお、本発明は以上の構成に限定されず、本発明の技術思想を逸脱しない範囲で種々の変更が可能である。
【００２０】
【発明の実施の形態】
以下、本発明による表示装置の各実施例を図面を用いて説明する。
【００２１】
実施例１．
図１は、スロットマシンの要部断面を示す。表示装置ＤＰが回転ドラムＤＲＭの前面に配置されている。回転ドラムに対応して、表示装置ＤＰの一部は高透過領域ＨＴとなっており、回転ドラムの視認性を向上している。
【００２２】
図２は表示装置ＤＰの模式平面図である。周辺領域ＮＴの中に、高透過領域ＨＴが配置されていることが示されている。
【００２３】
図３は、表示装置ＤＰと回転ドラムＤＲＭの間にバックライトＢＬを設けた例である。これにより、表示装置からの画像および回転ドラムの画像が明るく視認することが出来る。
【００２４】
図４は表示装置ＤＰの、周辺領域ＮＴと高透過領域ＨＴ近傍での模式断面図である。透明基板ＳＵＢ１上には走査信号線線ＧＬ（図示していない）、その上のゲート絶縁膜ＧＩ，その上に形成された半導体層（図示していない）、ゲート絶縁膜上に形成され一部が半導体層と重畳する映像信号線ＤＬ、該ドレイン線を覆う保護膜ＰＡＳ、そしてＰＡＳ上に画素電極ＰＸが形成されている。映像信号線ＤＬの信号は走査信号線の信号によりＯＮ／ＯＦＦされ、選択された映像信号がアクティブ素子ＴＦＴにより画素電極ＰＸに書き込まれる。
【００２５】
液晶層ＬＣを介して、透明基板ＳＵＢ１に対向して透明基板ＳＵＢ２が配置される。ＳＵＢ２にはカラーフィルタＣＦが配置され、このカラーフィルターの色を画素単位で異ならせることでカラー表示を実現している。例えば、Ｒ，Ｇ，Ｂの３色が隣接する構成である。本実施例の特徴は、カラーフィルター層ＣＦの厚みが周辺領域ＮＴと高透過領域ＨＴで異なっていることにある。高透過領域ＨＴでのカラーフィルターの厚みＣＦ（Ｈ）は、周辺領域でのカラーフィルターの厚みＣＦ（Ｎ）より薄く構成されている。これにより、高透過領域で、周辺領域より高い透過率を実現している。
【００２６】
カラーフィルター上には共通電極ＣＴが配置され、前述の画素電極ＰＸとの間に    電圧差を付与することで画像の表示を実現する。
【００２７】
液晶を配向させるために、画素電極ＰＸの上には配向膜ＡＬ１が、共通電極ＣＴの上には配向膜ＡＬ２がそれぞれ配置されている。
【００２８】
カラーフィルターＣＦ間には色の混色を防ぐ効果を奏する遮光層ＢＭが配置されている。図では高透過領域にもＢＭを配置しているが、高透過領域での透過率の一層の向上を図る際には、高透過領域での遮光層ＢＭはＴＦＴに対応した位置のみとしてもよい。あるいは排除してもよい。
【００２９】
ＳＵＢ１、ＳＵＢ２の背面には偏光板ＰＯＬがそれぞれ配置されている。これらは透過軸が９０度になるように設定している。むろん、必要に応じて異なる角度としても良い。
【００３０】
このような構成により、本実施例では高透過領域を設けた表示装置が実現でき、明るい表示装置が実現できる。
【００３１】
実施例２．
図５は図４に対し、スペーサＳＰを分散させた場合を示す図である。スペーサが球状の場合、あるいは一方の基板に固定されたスペーサであっても、図５のように周辺領域ＮＴと高透過領域ＨＴの間の距離に差があるため、双方に対して基板間距離の支持機能を実現できない。このため、基板間距離が大きい高透過領域でギャップが不安定になり、ギャップムラが生じやすいという難点があることを見出した。
【００３２】
そこで本実施例では、図６に示すようにギャップ補正部材ＤＣを高透過領域に配置した。これにより、周辺領域ＮＴと高透過領域ＨＴのギャップの差が低減でき、ギャップムラ、輝度ムラを低減することが出来る。
【００３３】
なお、このギャップ補正部材ＤＣは、高透過領域ＨＴと周辺領域ＮＴの境界の画素には配置しないことが望ましい。該領域では領域間の特性をなだらかに繋いだ方が目視上のむらが低減できるからである。このため、高透過領域ＨＴの最外周には、ギャップ補正部材ＤＣの無い領域がライン状に形成されることが望ましい。
【００３４】
ギャップ補正部材としては、専用の層を形成しても良い。また、高透過領域層ＨＴではカラーフィルターＣＦがＣＦ（Ｈ）のように薄く形成されるため、該カラーフィルターを流用することもギャップ補正部材ＤＣとして効果的である。この場合、特定の色のカラーフィルターのみをギャップ補正部材ＤＣとして用いても良い。一例として、青色のカラーフィルターは、万一位置ずれが生じても他の色への影響が少ないため好ましい。
【００３５】
ギャップ補正部材ＤＣによる効果は、スペーサＳＰが一方の透明基板に固定され    ている場合でも有効である。図７に柱状スペーサＳＰがＳＵＢ２側に固定されている場合の例を示す。
【００３６】
ギャップ補正部材ＤＣは比較的小さい形状として形成されるため、剥がれなどの不良発生が懸念される。そこで、図６あるいは図７に示すように共通電極ＣＴの下にギャップ補正部材ＤＣを設けることで、共通電極ＣＴがギャップ補正部材ＤＣに対する被服層として働き、保護する効果を実現できる。これにより、ギャップ補正部材ＤＣの信頼性上の不安を解消することができる。
【００３７】
実施例３．
図８では、配向膜の厚みが周辺領域ＮＴと高透過領域ＨＴで異なっていることを最大の特徴とする。図８では、ＡＬ１が高透過領域で厚く形成されている。これにより、周辺領域ＮＴと高透過領域ＨＴでの基板間のギャップの差を低減している。配向膜の厚みの調整は、配向膜印刷版のメッシュの形状を高透過領域と周辺領域で変えて高透過領域だけ厚膜にする方法、高透過領域だけ２回印刷する方法、インクジェット法により高透過領域だけ配向膜溶液の塗布量を変える方法等、種々の方法で容易に実現できる。
【００３８】
図９は柱状のスペーサＳＰを配置した例である。図では、配向膜の膜厚を制御したＡＬ１が形成された基板と対向する基板上に柱状スペーサＳＰ１を形成している。柱状スペーサは、通常配向膜形成前に基板に形成する。このため、柱状スペーサを形成した基板に配向膜の膜厚制御を行っても、柱状スペーサが配向膜に覆われる厚みが変わるが基板間ギャップの調整効果は減じられたものとなってしまう。また配向膜の膜厚制御を行うには、表面の凹凸が少ない方がより正確に制御ができる。そこで、本実施例では配向膜の膜厚制御をする基板ＳＵＢ１と、柱状スペーサＳＰを形成する基板ＳＵＢ２を別の基板とすることで、ギャップ制御の容易化と正確化を実現した。これにより、高透過領域ＨＴと周辺領域ＮＴでのギャップの差を低減し、むらの低減を実現した。
【００３９】
実施例４．
図１０は共通電極ＣＴ上にオーバーコート膜ＯＣを形成し、ＳＵＢ２の表面を平坦化した。これにより、高透過領域ＨＴと周辺領域ＮＴでの基板間距離の差を低減し、ギャップムラの低減を実現した。
【００４０】
実施例５．
図１１では、共通電極ＣＴをオーバーコート膜ＯＣの上に形成した。これにより、図１０での平坦化の効果に加え、画素電極ＰＸと共通電極ＣＴの距離が通常領域ＮＴと高透過領域ＰＸでより同一に近づく。これにより、画素電極ＰＸと共通電極ＣＴ間の容量を、周辺領域ＮＴと高透過領域ＰＸでより近づけることが出来、電気的特性も周辺領域ＮＴと高透過領域ＰＸでより近づけることができた。これにより、光学的なギャップの違いによるむらのみならず、電気的な容量の違いによるむらも低減することが出来た。
【００４１】
実施例６．
本実施例では実施例５と同様に電気的特性も周辺領域ＮＴと高透過領域ＰＸでより近づけることができる。その実現方法に違いがある。
【００４２】
図１２に本実施例での模式断面構造を示す。本実施例では、高透過領域ＨＴでの画素電極ＰＸを、通常領域ＮＴよりＳＵＢ１上の高い位置に配置した。これにより画素電極ＰＸと、ＳＵＢ２上で高透過領域ＨＴでは通常領域ＮＴより低い位置に配置されている共通電極ＣＴとの距離を、高透過領域ＨＴと通常領域ＮＴでより近づけることが出来る。これにより、画素電極ＰＸと共通電極ＣＴ間の容量を２つの領域でより近づけることが出来、電気的な容量の違いによるむらも低減できた。
【００４３】
ＳＵＢ１上で高透過領域ＨＴにて画素電極ＰＸを高く配置するには、一例として図１２では高透過領域ＨＴに第２保護膜ＰＡＳ２を形成し、この上に画素電極ＰＸを配置することで実現した。また、ハーフ露光などにより、ＰＡＳ１自体の膜厚を高透過領域ＨＴで通常領域ＮＴより厚くすることによっても実現できる。この場合、ＰＡＳ２の形成が不要となり、プロセスが簡略化できる。またＰＡＳ１での調整やＰＡＳ２の形成に限らず、段差調整層をＳＵＢ１側に形成することによっても実現できる。
【００４４】
以上説明した各実施例の発明は単独で用いてもよく、また、他の実施例の発明と併せ用いるようにしてもよいことはいうまでもない。
【００４５】
【発明の効果】
本願に記載の発明によれば、高透過領域を有する表示装置を実現できる。また高透過率領域と周辺領域を有する表示装置において、該２つの領域でのギャップむらを低減することができる。また画素容量の差を低減することが出来る。
【図面の簡単な説明】
【図１】遊技機の一実施例を示す模式断面図である。
【図２】本発明による一実施例を示す模式平面図である。
【図３】遊技機の一実施例を示す模式断面図である。
【図４】本発明による一実施例を示す模式断面図である。
【図５】本発明による他の実施例を示す模式断面図である。
【図６】本発明による他の実施例を示す模式断面図である。
【図７】本発明による他の実施例を示す模式断面図である。
【図８】本発明による他の実施例を示す模式断面図である。
【図９】本発明による他の実施例を示す模式断面図である。
【図１０】本発明による他の実施例を示す模式断面図である。
【図１１】本発明による他の実施例を示す模式断面図である。
【図１２】本発明による他の実施例を示す模式断面図である。
【符号の説明】
ＤＰ・・・・表示装置、ＨＴ・・・・高透過領域、ＮＴ・・・・周辺領域、ＰＸ・・・・画素電極、ＣＴ・・・・共通電極、ＳＰ・・・・スペーサ、ＣＦ・・・・カラーフィルタ、ＳＵＢ１・・・・透明基板、ＳＵＢ２・・・・透明基板、ＧＩ・・・・ゲート絶縁膜、ＰＡＳ・・・・保護膜、ＯＣ・・・・オーバーコート膜、ＤＬ・・・・映像信号線、ＡＬ１・・・・配向膜、ＡＬ２・・・・配向膜、ＢＭ・・・・遮光膜、ＤＣ・・・・ギャップ補正部材、遮光膜ＬＣ・・・・液晶層、ＰＯＬ・・・・偏光板。
【図１】
2005031420.tif 000003
【図２】
2005031420.tif 000004
【図３】
2005031420.tif 000005
【図４】
2005031420.tif 000006
【図５】
2005031420.tif 000007
【図６】
2005031420.tif 000008
【図７】
2005031420.tif 000009
【図８】
2005031420.tif 000010
【図９】
2005031420.tif 000011
【図１０】
2005031420.tif 000012
【図１１】
2005031420.tif 000013
【図１２】
2005031420.tif 000014